(57)【特許請求の範囲】
【請求項１】
周囲を越流防止堤で囲われた貯炭場の内部に形成される複数列の敷炭部と、各敷炭部に石炭を堆積させるパイルと、貯炭場に降った雨を処理する水処理施設とを備える貯炭場設備において、複数列ある敷炭部のうちの少くとも一つを他の敷炭部から仕切る仕切壁と、仕切壁によって仕切られた敷炭部に設けられて、溜まった水を他の敷炭部へと排水し得るポンプとを備え、雨により水処理施設が満杯になった場合でも、仕切壁によって仕切られた敷炭部のパイルだけはポンプの駆動により冠水を防止するよう構成したことを特徴とする貯炭場設備。
【請求項２】
仕切壁に、敷炭部と他の敷炭部との間を往来できるよう、開閉可能なゲート体を有するゲート部を設けた請求項１記載の貯炭場設備。
【請求項３】
仕切壁のゲート部に、ゲート体の下部を収容する溝を保護可能な溝カバーを設けた請求項２記載の貯炭場設備。
【発明の詳細な説明】
【０００１】
【発明の属する技術分野】
本発明は、貯炭場設備に関するものである。
【０００２】
【従来の技術】
図７は、石炭を陸揚げし、貯留し、供給するための揚運炭設備の概要を示すものである。
【０００３】
先ず、岸壁に接岸された船舶１からアンローダ２を用いて荷揚げされた石炭は、搬入用コンベヤ３、乗継建屋４、搬入用コンベヤ５、乗継建屋６、搬入用コンベヤ７、乗継建屋８、搬入用コンベヤ９、乗継建屋１０を介して搬入用コンベヤ１１へと送られ、搬入用コンベヤ１１から図示しないスタッカによって、貯炭場１２の第一パイル１３、又は、第二パイル１４へ落下投入され貯炭されるようになっている。
【０００４】
或いは、乗継建屋８から搬入用コンベヤ１５へと送られ、搬入用コンベヤ１５から図示しないスタッカによって、貯炭場１２の第三パイル１６へ落下投入され貯炭されるようになっている。
【０００５】
そして、貯炭場１２の第一パイル１３、又は、第二パイル１４へ貯炭された石炭は、図示しないリクレーマを用いて搬出用コンベヤ１７上へ取り出され、搬出用コンベヤ１７から乗継建屋１０、搬出用コンベヤ１８、乗継建屋８、搬出用コンベヤ１９、乗継建屋６、搬出用コンベヤ２０を介してボイラ設備２１へと送られ、ボイラ設備２１で発電に使用されるようになっている。
【０００６】
或いは、貯炭場１２の第三パイル１６へ貯炭された石炭は、図示しないリクレーマを用いて搬出用コンベヤ２２上へ取り出され、搬出用コンベヤ２２から乗継建屋８、搬出用コンベヤ１９、乗継建屋６、搬出用コンベヤ２０を介してボイラ設備２１へと送られ、ボイラ設備２１で発電に使用されるようになっている。
【０００７】
そして、貯炭場１２は越流防止堤２３で周囲を囲われており、貯炭場１２へ降った雨水は、傾斜した排水路２４を介して、貯炭場１２の近くに設けられた水処理施設２５へと送られ、水処理施設２５で処理されるようになっている。
【０００８】
尚、図７では、パイル１３，１４，１６は三列設けられているが、パイルはボイラ設備２１の規模に応じて任意の列数設けられている。
【０００９】
【発明が解決しようとする課題】
しかしながら、上記従来の貯炭場設備には、以下のような問題があった。
【００１０】
即ち、上記水処理施設２５は、設置する地域の降雨量に応じて十分な容量を持つように設計されているが、貯炭場１２からの排水には石炭粉などが多量に含まれていることから、水処理施設２５の排水をそのまま系外へ放出することができない。このため、万一、予想外の大雨が降って水処理施設２５が満杯になると、貯炭場１２からの排水ができなくなり、各パイル１３，１４，１６の石炭を冠水させて濡らしてしまうという問題があった。
【００１１】
このように石炭が冠水されて濡れると、石炭が水分を多量に吸収して傾斜のあるコンベヤのベルト上で荷くずれのために逆流して搬出用コンベヤ１７〜２０，２２で搬送できなくなったり、或いは、水分量の多い石炭によってボイラ設備２１における発電効率を低下させたりする原因となる。
【００１２】
しかも、水処理施設２５の水は、上記したように多量の石炭粉を含んでいるためそのまま系外へ逃がすことができないので、貯炭場１２に溜まった水が自然に蒸発するしか石炭を乾燥する手段がなく、その間、上記問題は解決されないままとなる。
【００１３】
本発明は、上述の実情に鑑み、大雨が降った場合でも貯炭場の石炭の一部を冠水させないで済むようにした貯炭場設備を提供することを目的とするものである。
【００１４】
【課題を解決するための手段】
本発明は、周囲を越流防止堤で囲われた貯炭場の内部に形成される複数列の敷炭部と、各敷炭部に石炭を堆積させるパイルと、貯炭場に降った雨を処理する水処理施設とを備える貯炭場設備において、複数列ある敷炭部のうちの少くとも一つを他の敷炭部から仕切る仕切壁と、仕切壁によって仕切られた敷炭部に設けられて、溜まった水を他の敷炭部へと排水し得るポンプとを備え、雨により水処理施設が満杯になった場合でも、仕切壁によって仕切られた敷炭部のパイルだけはポンプの駆動により冠水を防止するよう構成したことを特徴とする貯炭場設備にかかるものである。
【００１５】
この場合において、仕切壁に、敷炭部と他の敷炭部との間を往来できるよう、開閉可能なゲート体を有するゲート部を設けても良い。
【００１６】
又、仕切壁のゲート部に、ゲート体の下部を収容する溝を保護可能な溝カバーを設けても良い。
【００１７】
上記手段によれば、以下のような作用が得られる。
【００１８】
仕切壁によって仕切られた敷炭部の水をポンプを用いて他の敷炭部へと強制的に排水させることにより、大雨によって貯炭場が冠水した場合でも、仕切壁によって仕切られた敷炭部のパイルだけは冠水されずに済むので、貯炭場の水が蒸発して乾燥するまでの間、この石炭を使用することができる。
【００１９】
仕切壁は、通常時はゲート部を開けておき、大雨の時にゲート部を閉じるようにしても良い。
【００２０】
又、仕切壁のゲート部に、ゲート体の下部を収容する溝を保護可能な溝カバーを設けることにより、大雨の時に確実にゲート部に締切性能を発揮させることが可能となる。
【００２１】
尚、仕切壁によって仕切る敷炭部は一つでも二つ以上でも良く、これによって、冠水させない石炭の量を設定することができる。
【００２２】
【発明の実施の形態】
以下、本発明の実施の形態を、図示例と共に説明する。
【００２３】
図１〜図６は、本発明の実施の形態の一例である。
【００２４】
図中、２６は貯炭場、２７は貯炭場２６の周囲を囲むように設けられた越流防止堤、２８は越流防止堤２７の上部に設けられた防風フェンス、２９〜３３は貯炭場２６の内部に複数列設けられた細長い敷炭部、３４〜３８は敷炭部２９〜３３に積み上げられた石炭のパイル、３９は敷炭部２９〜３３におけるパイル３４〜３８の両側に形成されたブルドーザ等用通路、４０は敷炭部２９〜３３の間に形成された、図示しない搬入用コンベヤや搬出用コンベヤを設置したり、図示しないスタッカやリクレーマの走行用のレールを設置するための道床部、４１は貯炭場２６の内外に設けられた排水路、４２は排水路４１に接続された水処理施設である。
【００２５】
そして、本発明では、複数列ある敷炭部２９〜３３のうちの少くとも一つ（図では敷炭部３３となっている）を大雨によっても石炭が冠水しないだけの高さ（地域にも依るが、例えば、高さ１ｍ以上とする）を有する仕切壁４３によって、他の敷炭部２９〜３２から仕切り、仕切壁４３によって仕切られた敷炭部３３に、溜まった水を他の敷炭部２９〜３２へと排水可能なポンプ４４を設ける。
【００２６】
具体的には、仕切壁４３は、図１に示すように、道床部４０両端部の敷炭部３３寄りの部分と越流防止堤２７との間に設けるようにする。
【００２７】
尚、仕切壁４３によって仕切る敷炭部２９〜３３は、一つとしても二つ以上としても良く、これによって、冠水させない石炭の量を設定することができる。
【００２８】
更に、仕切壁３４に、必要に応じて、開閉可能なゲート部４５を設ける。
【００２９】
該ゲート部４５は、仕切壁３４の途中に間隔を置いて設けた、垂直な一対のＨ形鋼などからなるゲート用柱４６と、ゲート用柱４６間に上下方向から挿脱可能に設けたゲート体４７により構成される。
【００３０】
尚、４８はゲート体４７の側面に取付けられたシール材、４９はゲート用柱４６のゲート体４７を案内する縦溝内に取付けられたシール材、５０はゲート体４７の上部に取付けられたトラッククレーンなどでゲート体４７を吊るための吊金具、５１は貯炭場２６に段差がないように埋め込まれ、上面にゲート体４７の下部を収容する溝５３を形成されたゲート受部材、５２はゲート受部材５１に回動自在に取付けられた溝カバー、５４はゲート用柱４６の基礎である。
【００３１】
次に、本実施の形態の作動について説明する。
【００３２】
船舶で運んできた石炭を貯炭場２６に荷揚げし、ボイラ設備で使用する過程については、図７と同様なので、説明を省略する。
【００３３】
貯炭場２６に雨が降った場合、排水路４１には全体として傾斜が設けられているので、雨水は、高い方から低い方へ向かって流れ、排水路４１を介して水処理施設４２へと流され、水処理施設４２で処理される。
【００３４】
そして、上記水処理施設４２は、設置する地域の降雨量に応じて十分な容量を持つように設計されているが、貯炭場２６からの排水には石炭粉などが多量に含まれていることから、水処理施設４２の排水をそのまま系外へ放出することができない。そのため、万一、予想外の大雨が降って水処理施設４２が満杯になると、貯炭場２６からの排水ができなくなり、各パイル３４〜３８の石炭を冠水させて濡らしてしまうおそれがある。
【００３５】
しかし、本発明では、複数ある敷炭部２９〜３３のうちの少くとも一つ（敷炭部３３）を大雨によっても石炭が冠水しないだけの高さを有する仕切壁４３で仕切り、敷炭部３３から他の敷炭部２９〜３２へ水を排水可能なポンプ４４を設けたので、大雨によって他のパイル３４〜３７が冠水したような場合でも、ポンプ４４を駆動して敷炭部３３の水を他の敷炭部２９〜３２へ強制的に排水させることにより、敷炭部３３のパイル３８だけは冠水させずに済むことになる。
【００３６】
水処理施設２５の水は、上記したように多量の石炭粉を含んでいるためそのまま系外へ逃がすことができないので、貯炭場１２に溜まった水が自然に蒸発するまで石炭を乾燥する手段がないが、本発明では、貯炭場２６の水が蒸発して、冠水したパイル３５〜３８の石炭が乾くまでの間は、冠水しなかったパイル３８の石炭を切出してボイラ設備に使用し続けさせることができる。
【００３７】
これにより、支障なく搬出用コンベヤ１７〜２０，２２で石炭を搬送することができるようになり、水分量の多い石炭によってボイラ設備における発電効率が低下されることなどが防止される。
【００３８】
又、ボイラ設備では、異なる炭種の石炭を混合して燃焼させるようにする場合があるが、このような場合には、２つの敷炭部３３，３２を仕切壁４３で仕切って、各仕切壁４３にそれぞれ異なる炭種の石炭を積むようにしても良い。
【００３９】
更に、仕切壁３４に、ゲート部４５を設けておくことにより、通常時は、ゲート部４５を開いて、トラックやブルドーザ等が敷炭部３３と敷炭部２９〜３２との間を往来できるようにしておき、大雨の時のみトラッククレーンなどを用いてゲート体４７の上部の吊金具５０を吊って、ゲート部４５を閉じさせるようにすることができる。
【００４０】
この際、ゲート体４７の下部を収容するゲート受部材５１に回動自在な溝カバー５２を取付けて、通常時にゲート受部材５１の溝５３に砂や石炭粉などが入り込むことを防止させておくことにより、大雨の時に確実にゲート部４５に締切性能を発揮させることが可能となる。
【００４１】
尚、本発明は、上述の実施の形態にのみ限定されるものではなく、本発明の要旨を逸脱しない範囲内において種々変更を加え得ることは勿論である。
【００４２】
【発明の効果】
以上説明したように、本発明の貯炭場設備によれば、大雨が降った場合でも貯炭場の石炭の一部を冠水させないようにすることができるという優れた効果を奏し得る。
【図面の簡単な説明】
【図１】本発明の実施の形態の一例の全体概略平面図である。
【図２】図１のＩＩ−ＩＩ矢視図である。
【図３】図１の部分拡大図である。
【図４】図３の側面図である。
【図５】図４のＶ−Ｖ矢視図である。
【図６】図５の通常時における状態を示す図である。
【図７】貯炭場を含む揚運炭設備の全体概略平面図である。
【符号の説明】
２６貯炭場
２７越流防止堤
２９〜３３敷炭部
３４〜３８パイル
４２ 水処理施設
４３仕切壁
４４ポンプ
４５ゲート部
４７ゲート体
５１ゲート受部材
５２溝カバー
５３溝
【図１】
0003586940.tif 000002
【図２】
0003586940.tif 000003
【図３】
0003586940.tif 000004
【図４】
0003586940.tif 000005
【図５】
0003586940.tif 000006
【図６】
0003586940.tif 000007
【図７】
0003586940.tif 000008